(57)【要約】      （修正有）【課題】補助筒に凹凸の抜止め手段を設けるため、凹凸の係合手段を設ける際に凹部が発生しても補助筒は内容器によって隠蔽されているため、凹部が外部から見えることがなく、また、内容器内の内容物が凹部内へ残留することもなく、しかも抜止め手段を解除する手段を外容器の内周面に設けることで容器の小型化が図れるレフィル容器を提供する。【解決手段】外容器１内へ内容器２０を交換可能に設けたレフィル容器であって、外容器１と内容器２０との間隙内へ補助部１０を設け、補助部１０を内容器２０へ接着させると共に、凹凸の抜止め手段７を介して補助部１０を外容器１内へ嵌合させ、補助部１０に回動力が加わることで、抜止め手段７による抜止めを解除可能な凹凸の解除手段１５を補助部下面と外容器１内周面に設けた。【選択図】図１
2010173723.tif 000002
【特許請求の範囲】
【請求項１】
外容器１内へ内容器２０を交換可能に設けたレフィル容器であって、
前記外容器１と内容器２０との間隙内に補助部１０を設け、
該補助部１０を凹凸の抜止め手段７を介して前記外容器１内へ係合させ、
さらに、前記補助部１０と協働して前記抜止め手段７による抜止めを解除可能な凹凸の解除手段１５を前記外容器１の内周面に設け、
該解除手段１５は、前記補助部１０に回動力が加わると、該補助部１０を上昇させて前記抜止め手段７による抜止めを解除可能に設け、
該抜止め解除によって前記補助部１０と共に前記内容器２０が前記外容器１から抜出し可能に設けた
ことを特徴とするレフィル容器。
【請求項２】
前記補助部１０は、前記外容器１内へ補助筒１１を嵌合させ、かつ該補助筒上端に外向きフランジ状の環状壁１２を設けて、該環状壁を前記外容器１上端へ載置させることで形成され、
前記内容器２０は、前記補助部１０の環状壁１２上面へ載置させて接着した外向きフランジ２１内周から周壁２２を垂下して、該周壁を補助筒１１内面へ嵌合接着させることによって形成されていることを特徴とする請求項１記載のレフィル容器。
【請求項３】
前記補助部１０は、前記外容器１内へ補助筒１１を嵌合させ、かつ該補助筒上端に外向きフランジ状の環状壁１２を設けて、該環状壁を前記外容器１上端へ載置させることで形成され、
前記内容器２０は、前記補助部１０の環状壁１２上面へ載置させた外向きフランジ２１内周から周壁２２を垂下して、該周壁を補助筒１１内面へ嵌合させることによって形成され、
かつ前記補助部１０と前記内容器２０とは一体成形されていることを特徴とする請求項１記載のレフィル容器。
【請求項４】
前記抜止め手段７は、前記外容器１内周面に形成された第１突部８と、前記補助筒１１外周面に形成された第２突部１３とから構成され、前記補助部１０が上昇することにより第２突部１３が第１突部８を乗越えることで抜止めが解除可能に設けた
ことを特徴とする請求項１記載のレフィル容器。
【請求項５】
前記解除手段１５は、前記外容器内周面に上向き段部５を形成すると共に、該上向き段部上面と前記補助筒１１下面とのそれぞれの面を凹凸状に形成して、該上向き段部５上面と補助筒１１下面とを当接させて凹凸を互いに噛合させることにより構成され、
前記内容器２０と外容器１の相対回動で補助筒１１下面の凸が上向き段部５上面の凸へ乗り上げることにより補助筒１１が上昇して前記第２突部１３が第１突部８を乗越え可能に設けた
ことを特徴とする請求項２又は３記載のレフィル容器。
【請求項６】
前記外容器１の上端部外面を小外径部４に形成して、該小外径部外面と前記補助部の環状壁１２下面とで画成される空間を、内容器交換時に環状壁下面へ当てる指の挿入用空間部３０に形成したことを特徴とする請求項２ないし５のいずれか１つに記載のレフィル容器。
【請求項７】
前記内容器２０の外向きフランジ２１外周から把持筒２３を垂下して、該把持筒外面に滑り止め用突部２４を設けたことを特徴とする請求項２ないし６のいずれか１つに記載のレフィル容器。
【請求項８】
前記補助部１０は前記外容器よりも硬さが軟らかい材質で形成されていることを特徴とする請求項１ないし７のいずれか１つに記載のレフィル容器。
【発明の詳細な説明】
【技術分野】
【０００１】
本発明は外容器内へ内容器を交換可能に嵌合させたレフィル容器に関する。
【背景技術】
【０００２】
外容器の内周面と内容器の外周面に嵌合状態で互いに係止する係止突起を設け、さらに外容器の内底面に係合突部を設け、この係合突部に内容器の回動により係合して乗り上げ、内容器の係止突起を外容器の係止突起から外す係合突部を内容器の底面に設けたレフィル容器が従来技術として知られている。
【先行技術文献】
【特許文献】
【０００３】
【特許文献１】実開平６−７８２３０号公報
【発明の概要】
【発明が解決しようとする課題】
【０００４】
しかしながら、従来技術は係合突部を介して内容器を外容器の底面上へ載置させているため、内容器底面を外容器底面へ近接させることができず、このため容器の小型化を図る上での阻害要因となっているだけでなく、内容器を金属製にすると、係止突起を形成する際に、内容器内周面に不可避的に凹部が形成されるが、この凹部は外部から見えるため見栄えが良くないばかりか、この凹部内へ内容器に収納された内容物が残留するという課題がある。本発明は、上記課題を解決するためになされたもので、見栄えがよく、かつ容器内に内容物が残留することがなく、しかも容器の小型化が図れるレフィル容器を提供することを目的とする。
【課題を解決するための手段】
【０００５】
上記課題を解決するために、本発明は、外容器１内へ内容器２０を交換可能に設けたレフィル容器であって、前記外容器１と内容器２０との間隙内に補助部１０を設け、該補助部１０を凹凸の抜止め手段７を介して前記外容器１内へ係合させ、さらに、前記補助部１０と協働して前記抜止め手段７による抜止めを解除可能な凹凸の解除手段１５を前記外容器１の内周面に設け、該解除手段１５は、前記補助部１０に回動力が加わると、該補助部１０を上昇させて前記抜止め手段７による抜止めを解除可能に設け、該抜止め解除によって前記補助部１０と共に前記内容器２０が前記外容器１から抜出し可能に設けたことを特徴とする。
【０００６】
また、本発明は、前記補助部１０は、前記外容器１内へ補助筒１１を嵌合させ、かつ該補助筒上端に外向きフランジ状の環状壁１２を設けて、該環状壁を前記外容器１上端へ載置させることで形成され、前記内容器２０は、前記補助部１０の環状壁１２上面へ載置させて接着した外向きフランジ２１内周から周壁２２を垂下して、該周壁を補助筒１１内面へ嵌合接着させることによって形成されていることを特徴とする。
【０００７】
さらに、本発明は、前記補助部１０は、前記外容器１内へ補助筒１１を嵌合させ、かつ該補助筒上端に外向きフランジ状の環状壁１２を設けて、該環状壁を前記外容器１上端へ載置させることで形成され、前記内容器２０は、前記補助部１０の環状壁１２上面へ載置させた外向きフランジ２１内周から周壁２２を垂下して、該周壁を補助筒１１内面へ嵌合させることによって形成され、かつ前記補助部１０と前記内容器２０とは一体成形されていることを特徴とする。
【０００８】
さらに、本発明は、前記抜止め手段７は、前記外容器１内周面に形成された第１突部８と、前記補助筒１１外周面に形成された第２突部１３とから構成され、前記補助部１０が上昇することにより第２突部１３が第１突部８を乗越えることで抜止めが解除可能に設けたことを特徴とする。
【０００９】
さらに、本発明は、前記解除手段１５は、前記外容器内周面に上向き段部５を形成すると共に、該上向き段部上面と前記補助筒１１下面とのそれぞれの面を凹凸状に形成して、該上向き段部５上面と補助筒１１下面とを当接させて凹凸を互いに噛合させることにより構成され、前記内容器２０と外容器１の相対回動で補助筒１１下面の凸が上向き段部５上面の凸へ乗り上げることにより補助筒が上昇して前記第２突部１３が第１突部８を乗越え可能に設けたことを特徴とする。
【００１０】
さらに、本発明は、前記外容器１の上端部外面を小外径部４に形成して、該小外径部外面と前記補助部の環状壁１２下面とで画成される空間を、内容器交換時に環状壁下面へ当てる指の挿入用空間部３０に形成したことを特徴とする。
【００１１】
さらに、本発明は、前記内容器２０の外向きフランジ２１外周から把持筒２３を垂下して、該把持筒外面に滑り止め用突部２４を設けたことを特徴とする。
【００１２】
さらに、本発明は、前記補助部１０は前記外容器よりも硬さが軟らかい材質で形成されていることを特徴とする。
【発明の効果】
【００１３】
本発明は、外容器と内容器との間隙内へ補助部を設け、凹凸の抜止め手段を介して補助部を外容器へ嵌合させているため、凹凸の係合手段を設ける際に、補助部に凹部が発生しても補助部は内容器によって隠蔽されているため、凹部が外部から見えることがなく、また、内容器内の内容物が凹部内へ残留することもない。
【００１４】
また、本発明は、内容器に外向きフランジを設けたので、内容器を回動させることが容易である。
【００１５】
さらに、本発明は、補助部を上昇させて抜止め手段を解除させる解除手段を外容器の内周面に設けたので、内容器底面と外容器底面との間に無駄なスペースが発生することがなく、したがって、容器の小型化が図れる。
【００１６】
さらに、本発明は、小外径部外面と補助部の環状壁下面とで画成される空間を指用挿入用空間部に形成したので、内容器を回動させることが容易である。
【００１７】
さらに、本発明は、把持筒外面に滑り止め用突部を設けたので、内容器を回動させる際に手の滑りが防止される。
【００１８】
さらに、本発明は、補助部は外容器よりも硬さが軟らかい材質で形成されているため、補助部を外容器内へ嵌挿させることが容易であり、しかも補助部が回動する際に外容器を削る等して傷つけることがない。
【図面の簡単な説明】
【００１９】
【図１】本発明に係るレフィル容器の断面図である。
【図２】要部を示す斜視図である。
【図３】変形例を示す断面図である。
【図４】他の変形例を示す断面図である。
【図５】凹凸の抜止め手段の波形状を示す概略展開図である。
【図６】凹凸の抜止め手段の鋸歯状を示す概略展開図である。
【発明を実施するための形態】
【００２０】
以下、本発明の実施の形態について、図面を参照しながら詳細に説明する。
【００２１】
図１において、１は外容器で、胴部２の上部外面を小外径にして口頸部３に形成し、さらに後述の理由によって口頸部３の上部外面を小外径にして小外径部4に形成する。口頸部３の上部内面は上向き段部５を介して大内径部６に形成されており、上向き段部５の上面は弯曲状の凹凸を交互に配列した側方視波形状の凹凸面、または側方視三角形状の凸部と逆三角形の凹部とを交互に配列した鋸歯状の凹凸面に形成されている。
【００２２】
大内径部６の上部内面には凹凸の抜止め手段７を構成する第１突部８が形成されている。第1突部８は周方向へ配列された複数の突起で形成してもよく、または周方向への突条で形成してもよい。なお、口頸部３の外面に螺旋状に周設された突条９は図示しないキャップを螺合させるためのものである。
【００２３】
１０は補助部で、大内径部６内へ間隙を介して嵌合された補助筒１１上端に外向きフランジ状の環状壁１２を付設して、該環状壁１２を口頸部３上端へ載置させている。補助筒１１の上部外面には凹凸の抜止め手段７を構成する第２突部１３が設けられていて、該第２突部１３は第１突部８下面へ摺動自在に係合されている。
【００２４】
補助筒１１下面は、上向き段部５の上面が波形状の凹凸面に形成されている場合には、これと同様に波形状の凹凸面に形成する。一方、上向き段部５の上面が鋸歯状の凹凸面に形成されている場合には、これと同様に鋸歯状の凹凸面に形成する。すなわち、補助筒１１の下面は上向き段部５上面の凹凸面の形状と相補形状に構成して、内容器の交換時を除いた通常の使用状態においては補助筒１１下面と上向き段部５上面とが噛合可能に形成する。これら補助筒１１下面の凹凸面と外容器１の上向き段部５上面の凹凸面は、補助部１０を上昇させて抜止め手段７を解除させる解除手段１５を構成する。
【００２５】
２０は内容器で、図３に示すように、補助筒１１の環状壁１２上面へ載置して接着した外向きフランジ２１の内周から補助筒１１内面へ嵌合接着させて周壁２２を垂下して、該周壁２２底壁を外容器1の胴部２底壁へ近接させる。図３では内容器２０と補助部１０は別体に設けられているが、図４に示すように、これらは一体成形することも可能である。
【００２６】
さらに、外向きフランジ２１の外周から把持筒２３を垂下して、該把持筒外面に滑り止め用突起２４を周方向に所定の間隔をおいて複数形成する。なお、内容器２０を金属で形成する場合には、把持筒２３下端を環状壁１２下面沿いに内方へ折曲して、把持筒２３下端縁に手が触れないようにする。
【００２７】
なお、図１に示すように口頸部３の上部外面を小外径部4に形成して、環状壁１２を口頸部３上端から外方へ張り出させた理由は、小外径部４外面と環状壁１２下面とで画成される空間を、内容器２０交換時に環状壁１２下面へ当てる指の挿入用空間部３０とすることにある。
【００２８】
したがって、この指挿入用空間部３０は省略することも可能であり、この場合には、図３、４に示すように口頸部３の上部外面を小外径にすることなく、また環状壁１２はその全下面を口頸部上端へ載置させる。
【００２９】
なお、外容器１と補助部１０との材質としては合成樹脂材を用いるが、補助部１０の材質の方が外容器１の材質よりも硬さが軟らかいものを使用する。このようにすることで補助部１０を回動させる際に、外容器１が補助部１０によって削られる等して傷つけられることがなく、また補助部１０を外容器１内へ嵌挿させることが容易となる。
【００３０】
内容器２０の材質としては金属または比較的硬い合成樹脂材を用いる。なお、補助部１０と内容器２０とを別体に形成する場合には、これらは互いに接着されるが、接着の手段としてはインサート成形が好ましい。
【００３１】
次に作用について説明する。
通常の使用においては、図示しないキャップを口頸部３から螺脱させて、内容器２０から内容物を取り出せばよい。
【００３２】
内容器２０を新品の内容器と交換するには、内容器２０の把持筒２３を把持し、かつ外容器１を保持して内容器２０を回動すればよい。すると内容器２０と共に補助筒１１が回動し、上向き段部５上面の凹部へ噛合していた補助筒１１下面の凸部が、上向き段部５の凹部から離脱して凸部へ乗り上げ、これによって補助筒１１が上昇し、環状壁１２が口頸部３上面から上方へ離間すると共に、第２突部１３が第１突部８を乗越えることで抜止め手段７が解除されるため、内容器２０を外容器１から取り出すことが可能になる。
【００３３】
新品の内容器２０を用いるには、該内容器を外容器１内へ嵌挿させればよく、すると第２突部１３が第１突部８を乗越えて補助筒１１下面が上向き段部５上面へ係合する。
【産業上の利用可能性】
【００３４】
本発明は、内容物を使い切った場合に、内容物が入った内容器のみ交換して、外容器は継続して使用可能な容器の分野に利用することができる。
【符号の説明】
【００３５】
１  外容器
４  小外径部
５  上向き段部
７  抜止め手段
８  第１突部
１０  補助部
１１  補助筒
１２  環状壁
１３  第２突部
１５  解除手段
２０  内容器
２１  外向きフランジ
２２  周壁
２４  滑り止め用突部
３０  挿入用空間部
【図１】
2010173723.tif 000003
【図２】
2010173723.tif 000004
【図３】
2010173723.tif 000005
【図４】
2010173723.tif 000006
【図５】
2010173723.tif 000007
【図６】
2010173723.tif 000008